(57)【要約】【課題】システム全体の電力消費量を低減し、かつ急激な電波環境の変化にも対応が可能である受信システムを実現する。【解決手段】本発明の受信システムは、受信信号の強度が所定値以上になったことを検出する検波手段である検波回路１０７と、検波回路１０７から指示を受け、受信処理部の消費電力を即座に上昇させるリセット手段であるリセット回路１０８を備え、検波回路１０７が大きな信号を検波した際には、リセット回路１０８によって受信処理部の消費電力を即座に上昇させることで、受信システム全体の電力消費量が充分に多く、且つ受信システムの受信性能が充分に良い状態へと即座に戻すことができる。それによって、周辺の電波状況の変化によって、受信システムに急に大きな妨害信号が入力された場合においても、受信できない期間を発生させることなく、安定した受信を実施することができる。【選択図】図１
2008042765.tif 000002
【特許請求の範囲】
【請求項１】
無線入力される受信信号の受信処理を行うものであり、消費電力が可変である受信処理部と、上記受信処理部の出力信号に基づいて、上記受信信号の受信性能を検出するモニター手段と、上記モニター手段が検出した上記受信信号の受信性能に基づいて、上記受信処理部の消費電力を随時制御する制御手段とを備え、上記受信信号の受信性能に応じて、上記受信処理部の電力消費量を許容性能に近い状態に常に維持することによって、受信時の電力消費量を減少することができる受信システムであって、
上記受信信号の強度が所定値以上になったことを検出する検波手段と、
上記検波手段によって上記受信信号の強度が所定値以上になったことが検出された場合に、上記受信処理部の消費電力を上昇させ、上記受信処理部の受信性能を所定のレベルにまで戻すリセット手段と、を備えていることを特徴とする受信システム。
【請求項２】
上記モニター手段が、上記受信処理部の出力信号のビット誤り率によって上記受信信号の受信性能を検出することを特徴とする請求項１に記載の受信システム。
【請求項３】
上記モニター手段が、上記受信処理部の出力信号に対する雑音と相互変調積との比によって上記受信信号の受信性能を検出することを特徴とする請求項１に記載の受信システム。
【請求項４】
上記受信処理部は、上記受信信号における受信帯域外の信号を除去するフィルタ回路を備えており、
上記検波手段は、
入力端子とフィルタ回路との間のいずれか１箇所に配置された第１の検波回路と、
上記フィルタ回路と上記モニター手段との間のいずれか１箇所に配置された第２の検波回路とを備えることを特徴とする請求項１ないし３のいずれか１項に記載の受信システム。
【請求項５】
上記受信処理部は、利得の制御が可能である可変利得アンプと、該可変利得アンプの後段に配置された検波回路とを備えており、
上記リセット手段は、上記可変利得アンプの利得情報と、上記検波回路の検波結果とが入力されるものであり、
上記可変利得アンプの利得が所定値以上に設定され、且つ上記検波回路が、上記受信信号の強度が所定値以上になったことが検出する場合に、上記受信処理部の消費電力を上昇させ、上記受信処理部の受信性能を所定のレベルにまで戻すことを特徴とする請求項１ないし３のいずれか１項に記載の受信システム。
【請求項６】
無線入力される受信信号の受信を行う機器において、
上記請求項１ないし５のいずれか１項に記載の受信システムをチューナー部として備えることを特徴とする機器。
【発明の詳細な説明】
【技術分野】
【０００１】
本発明は、テレビチューナーなどの電波受信を行うチューナー機器に使用される受信システムに関するものであり、特に、受信時の電力消費量を減少する受信システムに関するものである。
【背景技術】
【０００２】
従来から、テレビチューナーなど電波受信を行うチューナー機器に使用されている受信システムに関しては、電力消費量を減少するために、例えば特許文献１にて開示されているものがある。
【０００３】
以下、図４を用いて、従来の受信システムにおいて電力消費量を減少する仕組みについて説明する。
【０００４】
従来の受信システムは、受信処理部として、アンプ４０１、ミキサー４０２、ローパスフィルタ４０３、及び可変利得アンプ４０４を備え、また、モニター手段としてモニター回路４０５、及び制御手段として制御回路４０６を備える構成である。この中で、アンプ４０１、ミキサー４０２、ローパスフィルタ４０３、及び可変利得アンプ４０４については、消費電力を変化させることが可能であるものが使用されている。
【０００５】
図４において、受信システムの入力端子（アンプ４０１の前段、図示はしない）から入力されたＲＦ信号（Radio frequency：無線周波信号）は初めに、受信処理部へと向かう。受信処理部ではまず、ＲＦ信号はアンプ４０１にて増幅される。そして、アンプ４０１で増幅されたＲＦ信号は、ミキサー４０２にて局部発振成分と混合され、周波数変換が為されることにより、ＩＦ信号（Intermediate frequency：中間周波信号）に変換される。そして、周波数変換処理によって得られたＩＦ信号は、ローパスフィルタ４０３にて所望の周波数帯域外の信号を除去され、可変利得アンプ４０４にて受信に最適なレベルに調整される。
【０００６】
その後、受信処理部にて生成されたＩＦ信号出力は次に、モニター回路４０５に入力される。
【０００７】
ところで、図４に示す受信システムにおいては、前述のように、受信処理部に使用されているアンプ４０１、ミキサー４０２、ローパスフィルタ４０３、及び可変利得アンプ４０４に、消費電力を変化させることが可能であるものが使用されているが、一般的にこのような回路の性能は、回路の消費電力とトレードオフの関係にある。即ち、回路の性能は消費電力の正の関数であると言える。それに伴い、システムの受信性能も同様にシステム全体の電力消費量の正の関数となるため、システム全体の電力消費量を削減すると、システムの受信性能は劣化する。
【０００８】
そこで、受信処理部からのＩＦ信号出力を受信したモニター回路４０５は、受信したＩＦ信号から、システムの受信性能を測定し、予め定められている設定値との比較を行う。ここで、システムの受信性能を測定する尺度としては、受信信号のビット誤り率（以下「ＢＥＲ」）、或いは受信信号の信号に対する雑音と相互変調積との比（以下「受信信号のＣ／Ｎ」）が採用されている。
【０００９】
モニター回路４０５が測定したシステムの受信性能が設定値よりも良い場合、即ち受信性能の値がＢＥＲならば小さい場合であり、受信信号のＣ／Ｎならば大きい場合、モニター回路４０５は制御回路４０６に、システム全体の電力消費量を下げるよう指令を送る。そして、それを受けた制御回路４０６は、アンプ４０１、ミキサー４０２、ローパスフィルタ４０３、及び可変利得アンプ４０４のうち、少なくとも１つの回路の消費電力を下げる。
【００１０】
その結果、システム全体の電力消費量は低減する。また、それに伴いシステムの受信性能も劣化する。
【００１１】
その後、電力消費量の制御により変化したシステムの受信性能を、モニター回路４０５が再び測定し、設定値との比較、及び受信処理部の回路の消費電力の制御を行う。
【００１２】
上記一連の動作を繰り返すことによって、周辺の電波状況に応じて電力消費量を随時制御することができる。その結果、長期的な電力消費量を削減することが可能である。
【特許文献１】特開２００２−２５２８１１公報（２００２年９月６日公開）
【発明の開示】
【発明が解決しようとする課題】
【００１３】
しかしながら、上記従来の構成では、周辺の電波状況の変化によって、急に強度の大きな妨害信号が受信システムに入力された場合においては、受信システムの回復までに時間を要し、回復するまでの間は受信ができなくなるという問題を生じる。
【００１４】
例えば図４に示す構成の受信システムを、無線移動体通信機器など、周辺の電波状況が急激に変化することが考えられる電波状況下、即ち急に強度の大きな妨害信号が受信システムに入力される可能性を有するような電波状況下において使用する場合を考える。
【００１５】
上述したように、図４に示す構成においては、システムの受信性能の値、即ち、システム全体の電力消費量を制御する際の判断基準として、ＢＥＲ、或いは受信信号のＣ／Ｎを使用するが、これらのパラメータを得るためには、システムがある程度の時間、信号を受信し続ける必要があり、モニター回路がその正確な値が測定できるまでに、およそ数ｍｓｅｃ〜数ｓｅｃの時間を要する。
【００１６】
周辺の電波状況の変化によって急に大きな妨害信号が入力された場合、システム内部では、受信信号のＣ／ＮやＢＥＲは急激に悪化し、システムの受信性能は極端に劣化する。その際制御回路４０６は、システム全体の消費電力を大きくして、システムの受信性能を回復させようとする。
【００１７】
上述のように、急激に変化したＢＥＲや受信信号のＣ／Ｎを、モニター回路が正確に測定するまでには一定の時間を要するが、その間においてもシステムの受信性能は当然低下しているため、大きな妨害信号が入力されてから、制御回路４０６がシステム全体の消費電力を大きくするまでの間にタイムラグが発生する。
【００１８】
また、上記従来の構成では、所定の増分量で、システムの電力消費量を逐次的に制御する（モニター回路、及び制御回路による電力消費量の制御方法は後述する）ため、受信システムに急に大きな妨害信号が入力された場合、受信システムの回復は漸進的となり、システムを回復させるまでに時間を要する。
【００１９】
上記の原因によって、大きな妨害信号が入力されてから制御回路４０６がシステム全体の消費電力を大きくするまでの間、所望のＲＦ信号の受信に見合った受信性能を維持することが不可能となり、結果的に、信号の受信が不可能になるといった問題が生じる。
【００２０】
本発明は、上記の問題点に鑑みてなされたものであり、その目的は、システム全体の電力消費量を低減し、且つ急に大きな妨害信号が入力された場合においても、受信できない期間を発生させることなく、安定した受信を実施することが可能である受信システムを実現することにある。
【課題を解決するための手段】
【００２１】
本発明に係る受信システムは、上記課題を解決するために、無線入力される受信信号の受信処理を行うものであり、消費電力が可変である受信処理部と、上記受信処理部の出力信号に基づいて、上記受信信号の受信性能を検出するモニター手段と、上記モニター手段が検出した上記受信信号の受信性能に基づいて、上記受信処理部の消費電力を随時制御する制御手段とを備え、上記受信信号の受信性能に応じて、上記受信処理部の電力消費量を許容性能に近い状態に常に維持することによって、受信時の消費電力を減少することができる受信システムであって、上記受信信号の強度が所定値以上になったことを検出する検波手段と、上記検波手段によって上記受信信号の強度が所定値以上になったことが検出された場合に、上記受信処理部の消費電力を上昇させ、上記受信処理部の受信性能を所定のレベルにまで戻すリセット手段と、を備えていることを特徴としている。
【００２２】
上記の発明によれば、受信システムに無線入力される受信信号の強度を、検波手段によって検波し、検波手段によって受信信号の強度が所定値以上になったことが検出された場合に、リセット手段によって受信処理部の消費電力を即座に上昇することで、上記受信処理部の受信性能を所定のレベルにまで戻すことができる。ここで、上記所定のレベルとは、妨害信号の入力に際して、受信システムが受信信号の受信処理を維持することに支障をきたすことのない程度に、システム全体の電力消費量が充分に多く、且つ受信システムの受信性能が充分に良い状態を意味する。
【００２３】
その結果、システム全体の電力消費量を低減し、且つ周辺の電波状況の変化によって受信システムに急に大きな妨害信号が入力された場合においても、受信できない期間を発生させることなく、安定した受信が可能になるという効果を奏する。
【００２４】
なお、本発明に係る受信システムは、上記モニター手段が、上記受信処理部の出力信号のビット誤り率によって上記受信信号の受信性能を検出するのが好ましい。
【００２５】
または、本発明に係る受信システムは、上記モニター手段が、上記受信処理部の出力信号に対する雑音と相互変調積との比によって上記受信信号の受信状態を検出するのが好ましい。
【００２６】
本発明に係る受信システムは、上記課題を解決するために、上記受信処理部は、上記受信信号における受信帯域外の信号を除去するフィルタ回路を備えており、上記検波手段は、入力端子とフィルタ回路との間のいずれか１箇所に配置された第１の検波回路と、上記フィルタ回路と上記モニター手段との間のいずれか１箇所に配置された第２の検波回路とを備えることを特徴としている。
【００２７】
上記の発明によれば、受信処理部に受信帯域外の信号を除去するフィルタ回路を備え、さらに、受信システムに無線入力される受信信号の強度をそのまま検波する第１の検波回路と、受信帯域外の信号をフィルタ回路で除去した後の信号の強度を検波する第２の検波回路とを備える構成である。所望の受信信号の強度が大きい場合においては、第１の検波回路と、第２の検波回路とでは同一の検波結果を出力するが、無線入力される受信信号とは異なる帯域の、強度の大きな妨害信号が入力された場合においては、フィルタ回路にて受信帯域外の信号が除去されるため、フィルタ回路通過後の受信信号の強度は、フィルタ回路通過前と比べて大幅に下がる。そのため、第１の検波回路と、第２の検波回路とでは異なる検波結果を出力する構成である。
【００２８】
その結果、所望の信号の強度が大きい場合と、強度の大きな異なる周波数帯域の妨害波が入力された場合とを区別することが可能になるという効果を奏する。また、それによって、より効率良く受信時の消費電力を削減することが可能になるという効果を奏する。
【００２９】
本発明に係る受信システムは、上記受信処理部は、利得の制御が可能である可変利得アンプと、該可変利得アンプの後段に配置された検波回路とを備えており、上記リセット手段は、上記可変利得アンプの利得情報と、上記検波回路の検波結果とが入力されるものであり、上記可変利得アンプの利得が所定値以上に設定され、且つ上記検波回路が、上記受信信号の強度が所定値以上になったことが検出する場合に、上記受信処理部の消費電力を上昇させ、上記受信処理部の受信性能を所定のレベルにまで戻すことを特徴としている。
【００３０】
上記の発明によれば、入力端子に接続され、利得の制御が可能である可変利得アンプと、該可変利得アンプの後段に配置された検波回路とを備え、リセット手段には、可変利得アンプの利得情報と、上記検波回路の検波結果とが入力される。そして、該可変利得アンプの利得が所定値以上に設定され、且つ該検波回路が、受信信号の強度が所定値以上になったことが検出する場合に、上記受信処理部の消費電力を即座に上昇させる構成である。入力される受信信号の強度が大きい場合と、入力される受信信号とは異なる、強度の大きな妨害信号が入力された場合とでは、検波回路は同一の検波結果を出力するが、可変利得アンプの利得は異なる。そして、入力される所望の受信信号の強度が大きい場合と、それ以外の強度の大きな妨害信号が入力された場合とを区別した上で、入力される受信信号の強度が大きい場合にはリセット回路は作動させず、それ以外の強度の大きな妨害信号が入力された場合においてはリセット回路を作動させ、受信システム全体の電力消費量が充分に多く、且つ受信システムの性能が充分に良い状態へと即座に戻す構成である。
【００３１】
その結果、所望の信号の強度が大きい場合と、それ以外の強度の大きな妨害信号が入力された場合とを区別することが可能になるという効果を奏する。また、それによって、より効率良く受信時の消費電力を削減することが可能になるという効果を奏する。
【００３２】
本発明に係る機器は、無線入力される受信信号の受信を行う機器において、上記いずれかの受信システムをチューナー部として備えることを特徴としている。
【００３３】
上記の発明によれば、受信システム全体の電力消費量が充分に多く、且つ受信システムの性能が充分に良い状態へと即座に戻すことができる受信システムをチューナー部として備える機器を実現することができる。
【００３４】
その結果、システム全体の電力消費量を低減し、且つ周辺の電波状況の変化によって受信システムに急に大きな妨害信号が入力された場合においても、受信できない期間を発生させることなく、安定した受信が可能になるという効果を奏する。
【発明の効果】
【００３５】
本発明に係る受信システムは、上記課題を解決するために、無線入力される受信信号の受信処理を行うものであり、消費電力が可変である受信処理部と、上記受信処理部の出力信号に基づいて、上記受信信号の受信性能を検出するモニター手段と、上記モニター手段が検出した上記受信信号の受信性能に基づいて、上記受信処理部の消費電力を随時制御する制御手段とを備え、上記受信信号の受信性能に応じて、上記受信処理部の電力消費量を許容性能に近い状態に常に維持することによって、受信時の消費電力を減少することができる受信システムであって、上記受信信号の強度が所定値以上になったことを検出する検波手段と、上記検波手段によって上記受信信号の強度が所定値以上になったことが検出された場合に、上記受信処理部の消費電力を上昇させ、上記受信処理部の受信性能を所定のレベルにまで戻すリセット手段と、を備える構成である。
【００３６】
また、本発明に係る機器は、無線入力される受信信号の受信を行う機器において、上記いずれかの受信システムをチューナー部として備える構成である。
【００３７】
従って、システム全体の電力消費量を低減し、且つ周辺の電波状況の変化によって受信システムに急に大きな妨害信号が入力された場合においても、受信できない期間を発生させることなく、安定した受信が可能になるという効果を奏する。
【発明を実施するための最良の形態】
【００３８】
本発明の実施の形態について図１から図３に基づいて説明すると以下の通りである。
〔実施の形態１〕
図１に、本発明の実施の形態１に係る受信システムの構成を示す。
【００３９】
図１に示す受信システムは、受信処理部であるアンプ１０１、ミキサー１０２、ローパスフィルタ１０３、及び可変利得アンプ１０４と、モニター手段であるモニター回路１０５と、制御手段である制御回路１０６と、検波手段である検波回路１０７と、リセット手段であるリセット回路１０８とを備える構成である。
【００４０】
この中で、アンプ１０１、ミキサー１０２、ローパスフィルタ１０３、及び可変利得アンプ１０４については、消費電力を変化させることが可能であるものが使用される。また、アンプ１０１、ミキサー１０２、ローパスフィルタ１０３、可変利得アンプ１０４、モニター回路１０５、及び制御回路１０６は全て、図４に示す受信システムと同様の構成とすることができる。
【００４１】
また、検波回路１０７、及びリセット回路１０８は受信システムの入力端子（アンプ１０１の前段、図示はしない）から検波回路１０７、リセット回路１０８、制御回路１０６の順に接続されている。
【００４２】
図１において、受信システムの入力端子から受信処理部へと入力されたＲＦ信号は、図４に示す形態と同様に、アンプ１０１にて増幅され、ミキサー１０２にてＩＦ信号へと周波数変換が為され、ローパスフィルタ１０３にて所望の周波数帯域外の信号を除去され、可変利得アンプ１０４にて受信に最適なレベルに調整され、受信処理部にて生成されたＩＦ信号出力は、モニター回路１０５に入力される。モニター回路１０５は、受信したＩＦ信号から、ＢＥＲや受信信号のＣ／Ｎによってシステムの受信性能を測定し、予め定められている設定値との比較を行う。そして、システムの受信性能が設定値よりも充分に良い場合は、制御回路１０６によってシステム全体の電力消費量を低減する。
【００４３】
なお、モニター回路１０５および制御回路１０６による電力消費量の制御は、例えば、以下のような手順にて行われる。まず、モニター回路１０５によって、ＢＥＲまたはＣ／Ｎ等の受信性能を表すパラメータが基準値を超えている（受信性能が許容性能を超えている）ことが検出された場合、制御回路１０６は、所定の増分量でシステムの消費電力量を逐次的に減少させる。そして、モニター回路１０５によって、受信性能が許容性能を下回ったことが検出された時点で消費電力量の減少を停止させる。一方、モニター回路１０５によって、ＢＥＲ、或いはＣ／Ｎ等の受信性能を表すパラメータが基準値を下回っている（受信性能が許容性能を下回っている）ことが検出された場合には、上記処理を反転させ、受信性能が許容性能を上回るまで、所定の増分量でシステムの消費電力量を逐次的に増加させる。
【００４４】
このようなモニター回路１０５、及び制御回路１０６による電力消費量の制御は、受信状態の変動が比較的緩やかな場合には、該受信システムの受信性能を許容性能に近い状態に常に維持することができ、消費電力の削減効果が大きい。一方、受信システムに急に大きな妨害信号が入力された場合には、逐次的な制御を行っているが故、受信システムの回復は漸進的となり、システムを回復させるまでに時間を要し、回復するまでの間は受信ができなくなるという問題を生じる。
【００４５】
本実施の形態に係る受信システムは、所望のＲＦ信号以外に急に大きな妨害信号が入力され、急激に受信性能が低下することによって、受信システムの受信性能の迅速な回復が必要となった場合に、受信システムの受信性能を即座に回復させるための構成として、検波回路１０７、及びリセット回路１０８を備えていることを特徴とするものである。
【００４６】
ここで、受信システムの入力端子から入力されたＲＦ信号はまた、検波回路１０７にも入力される。そして、検波回路１０７は、入力されたＲＦ信号の強度が、予め定められた設定値よりも大きいか否かを検波し、その検波結果をリセット回路１０８に伝える。
【００４７】
このとき、検波回路１０７からリセット回路１０８に検波結果の情報を伝達する手段はどのような方法でも構わないが、例えば、設定値として、ある基準値を予め検波回路に設定しておき、入力されたＲＦ信号の強度が上記設定値よりも大きな場合にはＨｉｇｈレベルの信号を、設定値よりも小さな場合にはＬｏｗレベルの信号を出力する、といったロジック信号を用いるのが一般的である。なお、検波回路１０７において入力されたＲＦ信号の強度を検出するには、例えば、入力ＲＦ信号波形の振幅を検出することが考えられる。しかし、上記設定値の具体的な値については、本発明の受信システムが搭載される機器によってそれぞれ異なるため、搭載される機器に応じて、それらの受信性能を確保することが困難となるような妨害信号の強度を考慮し、適宜決定すればよい。このような検波回路１０７としては、周知の構成であるいかなる検波回路をも用いることができる。
【００４８】
なお、周辺の電波状況の変化によって、受信システムの入力端子から入力されたＲＦ信号以外の妨害信号が入力される場合も同様に、その妨害信号は検波回路１０７に入力される。
【００４９】
リセット回路１０８は、検波回路１０７からＨｉｇｈレベルの信号を受信した場合（即ち入力ＲＦ信号の強度が上記設定値よりも大きい場合）、即座に制御回路１０６に、システムの電力消費量が最も大きく、且つシステムの性能が最も良い状態に戻すよう指示を行う。すなわち、検波回路１０７では、所望の信号の受信状態を著しく悪化させるような強度の妨害信号が入力された場合に、Ｈｉｇｈレベルの信号を出力するように上記設定値が設定される。
【００５０】
そして制御回路１０６はその指示を受け、受信処理部の消費電力を、即ちアンプ１０１、ミキサー１０２、ローパスフィルタ１０３、及び可変利得アンプ１０４の消費電力を、システムの電力消費量が最も大きく、且つシステムの受信性能が最も良い状態に戻す。
【００５１】
このように、所望の入力ＲＦ信号とは別に、急に大きな妨害信号がシステムに入力された場合、システムの受信性能を、受信処理に支障のない値（本実施の形態においては、システムの電力消費量が最も大きく、且つシステムの性能が最も良い状態）にまで即座に上昇させることにより、周辺の電波状況の変化によって受信システムに急に大きな妨害信号が入力された場合にも対応することが可能である。検波回路１０７が非常に強度の大きな信号を検波してから、制御回路１０６が回路処理部の消費電力を最も大きい状態に戻すまでに要する時間は、前記ＢＥＲ、或いは受信信号のＣ／Ｎを測定して、漸進的に消費電力を戻していく時間よりもはるかに短い。
【００５２】
従って、システム全体の電力消費量を低減し、且つ周辺の電波状況の変化によって、急に大きな妨害信号が入力された場合においても、受信できない期間を発生させること無く、安定した受信が可能になるという効果を奏する。
〔実施の形態２〕
上記実施の形態１においては、検波回路１０７は、入力されたＲＦ信号の強度が所定の設定値を上回った場合にＨｉｇｈレベルの信号を出力する、そして、リセット回路１０８は、検波回路１０７からＨｉｇｈレベルの信号を受信した場合に、妨害信号の入力が合ったと判断してシステムの状態をリセットする（受信性能が高い状態へ戻す）。
【００５３】
しかしながら実際には、検波回路１０７がＨｉｇｈレベルの信号を検出する場合には、妨害信号が入力された場合以外に、所望のＲＦ信号自身の強度が大きい場合も考えられる。所望のＲＦ信号自身の強度が大きい場合に、システムの状態をリセットすることは、システムの消費電力を無駄に増大させることになり好ましくない。そこで、本実施の形態２および後述する実施の形態３では、妨害信号が入力された場合と、所望のＲＦ信号自身の強度が大きい場合とをさらに区別し、妨害信号が入力された場合にのみ、システムのリセットを行う。
【００５４】
図２に、本発明の他の実施の形態２に係る受信システムの構成を示す。
【００５５】
図２に示す受信システムは、受信処理部であるアンプ２０１、ミキサー２０２、ローパスフィルタ２０３、及び可変利得アンプ２０４と、モニター手段であるモニター回路２０５と、制御手段である制御回路２０６と、検波手段である第１の検波回路２０７、及び第２の検波回路２０９と、リセット手段であるリセット回路２０８とを備える構成である。
【００５６】
この中で、アンプ２０１、ミキサー２０２、ローパスフィルタ２０３、及び可変利得アンプ２０４については、消費電力を変化させることが可能であるものが使用される。また、アンプ２０１、ミキサー２０２、ローパスフィルタ２０３、可変利得アンプ２０４、モニター回路２０５、及び制御回路２０６は全て、図４に示す受信システムと同様の構成とすることができる。
【００５７】
第１の検波回路２０７、及びリセット回路２０８は、受信システムの入力端子（アンプ２０１の前段、図示はしない）から第１の検波回路２０７、リセット回路２０８、制御回路２０６の順に接続されている。そして、第２の検波回路２０９は、ローパスフィルタ２０３の後段（即ち、ローパスフィルタ２０３と可変利得アンプ２０４との間）と、リセット回路２０８との間に接続されており、ローパスフィルタ２０３の出力を検波した結果をリセット回路２０８に出力している。
【００５８】
図２において、受信システムの入力端子から入力されたＲＦ信号は、アンプ２０１、ミキサー２０２、ローパスフィルタ２０３、可変利得アンプ２０４、モニター回路２０５、及び制御回路２０６においては、図４に示す形態と同様の処理が行われ、システムの性能が設定値よりも良い場合は、制御回路２０６によってシステム全体の電力消費量を低減する。
【００５９】
ここで、受信システムの入力端子から入力されたＲＦ信号はまた、第１の検波回路２０７に入力される。さらにローパスフィルタ２０３によって受信帯域外の信号を除去されたＩＦ信号出力が、第２の検波回路２０９に入力される。第１の検波回路２０７、及び第２の検波回路２０９は、予め定められた設定値よりも強度の大きな信号が入力された場合にＨｉｇｈレベルの信号を出力し、設定値よりも強度の小さな信号が入力された場合にＬｏｗレベルの信号を出力する。なお、第１の検波回路２０７、及び第２の検波回路２０９は、実施の形態１における検波回路１０７と同様の構成のものを使用できる。但し、第１の検波回路２０７及び第２の検波回路２０９のそれぞれにおける設定値は、同じ値であるとは限らない。また、リセット回路２０８は、第１の検波回路２０７の検波情報、及び第２の検波回路２０９の検波情報を受信する。
【００６０】
なお、周辺の電波状況の変化によって、受信システムの入力端子から入力されたＲＦ信号以外の妨害信号が入力される場合も同様に、その妨害信号は検波回路２０７に入力される。
【００６１】
第２の検波回路２０９には、ローパスフィルタ２０３を通過し、所望の周波数帯域外の信号が除去された信号が入力される。そのため、所望のＲＦ信号の強度が大きい場合においては、信号は除去されず、第２の検波回路２０９は、第１の検波回路２０７の検波結果と同じくＨｉｇｈレベルの信号を出力する。しかしながら、強度の大きな異なるチャネルの妨害信号が入力された場合においては、その妨害波成分は、ローパスフィルタ２０３によって充分に除去され、フィルタ回路通過後の受信信号の強度は、フィルタ回路通過前と比べて大幅に下がるため、第２の検波回路２０９はＬｏｗレベルの信号を出力する。
【００６２】
この結果から、第１の検波回路２０７がＨｉｇｈレベルを出力し、且つ第２の検波回路２０９がＬｏｗレベルを出力した場合が、受信システムに強度の大きな妨害信号が入力された状況、即ちシステムの受信性能を回復すべき状況に当たることが分かる。
【００６３】
従って、リセット回路２０８は、第１の検波回路２０７からＨｉｇｈレベルの信号を受信すると共に、第２の検波回路２０９からＬｏｗレベルの信号を受信した場合、即座に制御回路２０６に、システムの電力消費量が最も大きく、且つシステムの性能が最も良い状態に戻すよう指示を行う。
【００６４】
そして制御回路２０６はその指示を受け、受信処理部の消費電力を、即ちアンプ２０１、ミキサー２０２、ローパスフィルタ２０３、及び可変利得アンプ２０４の消費電力を、システムの電力消費量が最も大きく、且つシステムの性能が最も良い状態に戻す。
【００６５】
従って、本実施の形態２に係る受信システムでは、所望のＲＦ信号の強度が大きい場合と強度の大きな妨害信号が入力された場合とを区別することができる。そのため、システム全体の電力消費量を低減し、且つ周辺の電波状況の変化によって、急に大きな妨害信号が入力された場合においても、受信できない期間を発生させること無く、安定した受信が可能になるという作用効果に加え、より精度良くシステム全体の電力消費量を削減することが可能になるという効果を奏する。
〔実施の形態３〕
図３に、本発明の他の実施の形態３に係る受信システムの構成を示す。
【００６６】
図３に示す受信システムは、受信処理部である可変利得アンプ３０１、ミキサー３０２、ローパスフィルタ３０３、及び可変利得アンプ３０４と、モニター手段であるモニター回路３０５と、制御手段である制御回路３０６と、検波手段である検波回路３０７と、リセット手段であるリセット回路３０８とを備える構成である。なお、可変利得アンプ３０１は、入力端子から入力されたＲＦ信号を、ミキサー３０２にて周波数変換を実施するのに適したレベルに調整し、ミキサー３０２に出力するような構成にする。この中で、可変利得アンプ３０１、ミキサー３０２、ローパスフィルタ３０３、及び可変利得アンプ３０４については、消費電力を変化させることが可能であるものが使用される。また、ミキサー３０２、ローパスフィルタ３０３、可変利得アンプ３０４、モニター回路３０５、及び制御回路３０６は全て、図４に示す受信システムと同様の構成とすることができる。また、検波回路３０７は、可変利得アンプ３０１の後段（即ち可変利得アンプ３０１とミキサー３０２との間）から、検波回路３０７、リセット回路３０８、制御回路３０６の順に接続されている。そして、可変利得アンプ３０１はまた、自身の利得情報をリセット回路３０８に送信する。
【００６７】
図３において、受信システムの入力端子から入力されたＲＦ信号は、可変利得アンプ３０１にて増幅され、ミキサー３０２にてＩＦ信号へと周波数変換が為され、ローパスフィルタ３０３にて帯域外の信号を除去され、可変利得アンプ３０４にて受信に最適なレベルに調整され、モニター回路３０５に入力される。モニター回路３０５は、受信したＩＦ信号から、ＢＥＲや受信信号のＣ／Ｎによってシステムの性能を測定し、予め定められている設定値との比較を行う。そして、システムの性能が設定値よりも充分に良い場合は、制御回路３０６によってシステム全体の電力消費量を低減する。
【００６８】
ここで、可変利得アンプ３０１にて増幅された信号はまた、検波回路３０７に入力される。検波回路３０７は、予め定められた設定値よりも強度の大きな信号が入力された場合、Ｈｉｇｈレベルの信号を出力し、設定値よりも強度の小さな信号が入力された場合にＬｏｗレベルの信号を出力する。なお、検波回路３０７は、実施の形態１における検波回路１０７と同様の構成のものを使用できる。
【００６９】
さらに可変利得アンプ３０１の利得情報がリセット回路３０８に直接入力される。リセット回路３０８は、検波回路３０７の検波情報に加え、可変利得アンプ３０１の利得情報を受信する。
【００７０】
なお、可変利得アンプ３０１の利得制御は一般的に電圧によって行われており、制御電圧値とアンプの利得は１対１に対応する。そのため、可変利得アンプ３０１の利得情報は即ち、可変利得アンプ３０１の制御電圧値であると言える。なお、本実施の形態においては、可変利得アンプ３０１の利得は制御電圧値の正の関数であり、リセット回路３０８に対して送る情報は、可変利得アンプ３０１の制御電圧値であるとする。また、可変利得アンプ３０１、及び可変利得アンプ３０４の利得は、モニター回路３０５が測定する性能値や、その他諸条件を勘案し、後段の制御回路３０６によって、システムの駆動に最も都合の良い利得配分になるように制御されている。
【００７１】
本実施の形態３において、妨害信号が入力されない状態下では、所望のＲＦ信号の強度が大きい場合は、可変利得アンプ３０１の利得は小さくなり、所望のＲＦ信号の強度が小さい場合は、可変利得アンプ３０１の利得は大きくなる。即ち、所望のＲＦ信号の強度が大きい場合には、検波回路３０７はＨｉｇｈレベルの信号を出力すると共に、可変利得アンプ３０１の制御電圧値は小さくなり、所望のＲＦ信号の強度が小さい場合には、可変利得アンプ３０１の制御電圧値は大きくなると共に、検波回路３０７はＬｏｗレベルの信号を出力する。なおここでは、所望のＲＦ信号の強度が大きい場合については、妨害信号による影響は比較的少ないので、所望のＲＦ信号の強度が小さい場合に妨害信号が入力された場合を考える。
【００７２】
所望のＲＦ信号の強度が小さい場合において、所望のＲＦ信号とは異なる、強度の大きな妨害信号が入力された場合、受信システムに入力される信号の強度は大きくなるため、検波回路３０７はＨｉｇｈレベルの信号を出力する。
【００７３】
また、上述のように、モニター回路３０５、及び制御回路３０６による受信処理部の制御は逐次的であり、それに伴い、可変利得アンプ３０１の利得は漸進的に変化するため、妨害信号が入力された直後においては、依然、可変利得アンプ３０１は大きな利得を持った状態になっている。
【００７４】
この結果から、検波回路３０７がＨｉｇｈレベルを出力し、且つ可変利得アンプ３０１の利得が大きな状態に設定される場合が、所望のＲＦ信号の強度が小さい場合において、所望のＲＦ信号とは異なる、強度の大きな妨害信号が入力された状況、即ちシステムの受信性能を回復すべき状況に当たることが分かる。
【００７５】
従って、リセット回路３０８は、検波回路３０７からＨｉｇｈレベルの信号を受信すると共に、可変利得アンプ３０１の制御電圧値が予め定められた設定値よりも大きい場合、即座に制御回路３０６に、システムの電力消費量が最も大きく、且つシステムの性能が最も良い状態に戻すよう指示を行う。
【００７６】
そして制御回路３０６はその指示を受け、受信処理部の消費電力を、即ち可変利得アンプ３０１、ミキサー３０２、ローパスフィルタ３０３、及び可変利得アンプ３０４の消費電力を、システムの電力消費量が最も大きく、且つシステムの性能が最も良い状態に戻す。
【００７７】
従って、本実施の形態３に係る受信システムでは、所望のＲＦ信号の強度が大きい場合と強度の大きな妨害信号が入力された場合とを区別することができる。そのため、システム全体の電力消費量を低減し、且つ周辺の電波状況の変化によって、急に大きな妨害信号が入力された場合においても、受信できない期間を発生させること無く、安定した受信が可能になるという作用効果に加え、より精度良くシステム全体の電力消費量を削減することが可能になるという効果を奏する。
【００７８】
なお、上記の各実施の形態では、受信処理部を構成するアンプ、ミキサー、ローパスフィルタ、可変利得アンプの全てにおいて消費電力を可変な構成としている。しかしながら、本発明の受信システムにおいて、受信処理部が複数の機能ブロックから構成される場合、その中の少なくとも一つの機能ブロックにおいて消費電力が可変であればよい。
【００７９】
また、上記の各実施の形態では、リセット回路から指示を受けた制御回路が、受信処理部を構成するアンプ、ミキサー、ローパスフィルタ、可変利得アンプの消費電力を、システムの電力消費量が最も大きく、且つシステムの受信性能が最も良い状態に戻す構成としている。しかしながら、本発明の受信システムにおいては、制御回路が受信性能を回復させる際、必ずしも上記の状態に戻す必要はない。即ち、本発明に係る受信システムは、妨害信号の入力に際して、受信信号の受信処理を維持することに支障をきたすことのない程度に、システム全体の電力消費量が充分に多く、且つ受信システムの受信性能が充分に良い状態へと即座に戻すことが可能な構成であれば良い。
【００８０】
本発明に係る受信システムは、例えばテレビ受信機等、無線入力される受信信号の電波受信を行う機器において、該受信システムをチューナー部として好適に使用することができる。また、このような機器が無線移動体通信機器であり、周辺の電波状況が急に変化することが考えられるような場合に、本発明の適用はさらに好適である。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８２】
テレビチューナーなどの、電波受信を行うチューナー機器に適用できる。
【図面の簡単な説明】
【００８３】
【図１】本発明の実施の形態１を示すものであり、本発明に係る受信システムの一構成例を示す回路ブロック図である。
【図２】本発明の実施の形態２を示すものであり、本発明に係る受信システムの一構成例を示す回路ブロック図である。
【図３】本発明の実施の形態３を示すものであり、本発明に係る受信システムの一構成例を示す回路ブロック図である。
【図４】従来技術における受信システムの構成を示す回路ブロック図である。
【符号の説明】
【００８４】
１０１、２０１
アンプ（受信処理部）
３０１  可変利得アンプ（受信処理部）
１０２、２０２、３０２
ミキサー（受信処理部）
１０３、３０３
ローパスフィルタ（受信処理部）
２０３  ローパスフィルタ（受信処理部・フィルタ回路）
１０４、２０４、３０４
可変利得アンプ（受信処理部）
１０５、２０５、３０５
モニター回路（モニター手段）
１０６、２０６、３０６
制御回路（制御手段）
１０７、３０７
検波回路（検波手段）
２０７  検波回路（検波手段・第１の検波回路）
１０８、２０８、３０８
リセット回路
２０９  検波回路（検波手段・第２の検波回路）
【図１】
2008042765.tif 000003
【図２】
2008042765.tif 000004
【図３】
2008042765.tif 000005
【図４】
2008042765.tif 000006